(57)【要約】【課題】島設備に対する遊技機の取り付け性を向上させることができ、安定した状態で設置することができる遊技機を提供する。【解決手段】上下の横框２１と左右の縦框２２ａ，２２ｂとを縦長矩形枠状に接合して島設備の上横固定材３と下横固定材との間に固定される機枠１５と、該機枠の前面に開閉可能に取り付けられ、遊技盤が装着される前面枠と、を備えた遊技機５において、前記機枠の横框のうち上下の少なくとも一方には、島設備に対する固定機構を有し、該固定機構は、前記機枠を島設備に固定する固定具３０を挿通するための貫通孔３１が上下方向に貫通した状態で形成された貫通孔形成部材３２と、前記横框に対して固定状態を維持し、前記貫通孔形成部材を水平方向に移動可能な状態で装着するスライドベース部材３３と、を備え、前記スライドベース部材には、装着された貫通孔形成部材の前記貫通孔を露出させて横框に臨ませるための露出部を形成した。【選択図】図１１
2011177323.tif 000002
【特許請求の範囲】
【請求項１】
上下の横框と左右の縦框とを縦長矩形枠状に接合して島設備の上横固定材と下横固定材との間に固定される機枠と、該機枠の前面に開閉可能に取り付けられ、遊技盤が装着される前面枠と、を備えた遊技機において、
前記機枠の前記横框のうち上下の少なくとも一方には、島設備に対する固定機構を有し、
該固定機構は、
前記機枠を島設備に固定する固定具を挿通するための貫通孔が上下方向に貫通した状態で形成された貫通孔形成部材と、
前記横框に対して固定状態を維持し、前記貫通孔形成部材を水平方向に移動可能な状態で装着するスライドベース部材と、を備え、
前記スライドベース部材には、装着された貫通孔形成部材の前記貫通孔を露出させて前記横框に臨ませるための露出部を形成したことを特徴とする遊技機。
【請求項２】
前記貫通孔形成部材と前記スライドベース部材との間には、前記貫通孔形成部材のスライドを規制するスライド規制機構を備え、
前記スライド規制機構は、
前記貫通孔形成部材または前記スライドベース部材の一方に形成される係合部と、
前記貫通孔形成部材または前記スライドベース部材の他方に形成されて前記係合部と係合可能な係合受部と、を備え、
前記係合受部を左右方向に複数形成することにより、前記係合部が係合する係合受部を変更可能にして前記貫通孔形成部材のスライドベース部材に対する位置を調整可能としたことを特徴とする請求項１に記載の遊技機。
【請求項３】
前記スライド規制機構は、
常態において前記貫通孔形成部材を付勢して前記係合部と係合受部との係合状態を維持するための付勢部材を備えたことを特徴とする請求項２に記載の遊技機。
【請求項４】
前記貫通孔形成部材は、合成樹脂により構成され、
前記付勢部材は、前記貫通孔形成部材に一体成型された樹脂製バネであることを特徴とする請求項３に記載の遊技機。
【請求項５】
前記スライドベース部材は、
前記島設備と前記貫通孔形成部材との間に位置して当該貫通孔形成部材と当接可能な当接部を備え、
前記係合部は、前記貫通孔形成部材のうち前記当接部と対向する対向面または前記当接部のうち前記対向面と当接可能な当接面の一方に形成される係合突部により構成され、
前記複数の係合受部は、前記対向面または前記当接面の他方に形成される係合凹部により構成されていることを特徴とする請求項４に記載の遊技機。
【請求項６】
前記各係合凹部の左右方向の間隔が固定具の直径よりも広い寸法に設定されていることを特徴とする請求項５に記載の遊技機。
【請求項７】
前記框同士が接合する隅角部分に補強金具を設け、前記貫通孔形成部材のスライド方向の延長線上に前記補助金具の止着具を配置し、該止着具に当接させることより前記貫通孔形成部材のスライドベース部材からの脱落を防止していることを特徴とする請求項６に記載の遊技機。
【請求項８】
前記貫通孔形成部材を島設備の固定部材に止着した状態でスライドベース部材を貫通孔形成部材に対して前後方向にスライドさせる前後位置調整機構を備え、
該前後位置調整機構の前後位置調整により遊技機の寝かせ角度を調整可能としたことを特徴とする請求項７に記載の遊技機。
【請求項９】
前記前後位置調整機構は、スライドベース部材側に回転可能に設けた雄ネジ軸と、該雄ネジ軸に螺合し、貫通孔形成部材側に前後方向の移動を阻止した状態で設けた雌ネジ部材とを備え、雄ネジ軸を回転して雌ネジ部との螺合位置を調整することによりスライドベース部材を貫通孔形成部材に対して前後方向に移動することにより前記寝かせ角度を無段階に調整可能としたことを特徴とする請求項８に記載の遊技機。
【請求項１０】
前記前面枠の裏面側には、島設備から供給される遊技球を球払出装置へ供給するために貯留する有底箱体状の球貯留タンクが設けられ、
前記上框の固定機構の貫通孔形成部材の後縁には、球貯留タンクの上方開口を露出させる切欠部を形成したことを特徴とする請求項１から請求項９のいずれかに記載の遊技機。
【発明の詳細な説明】
【技術分野】
【０００１】
本発明は、島設備の上横材と下横材との間に形成された横長な設置開口部内に設置されるパチンコ機などの遊技機に関する。
【背景技術】
【０００２】
従来の遊技機、例えば、パチンコ遊技機においては、前記した島設備に固定するための機枠（外枠）を有し、この機枠に前面枠を開閉可能に取り付け、該前面枠に遊技領域を形成した遊技盤を装着し、前面枠の前面にガラス枠を開閉可能に設け、このガラス枠のガラスを通して遊技領域が見える構成を採用している。そして、前記した機枠は、中央部が前後方向に開口する縦長な矩形枠体となるように、上框、下框、左框、右框をそれぞれ端部で接合されている。この機枠を島設備に取り付ける場合には、前面枠を取り外した状態で島設備の設置開口部内に位置させ、上框と下框に予め穿設された貫通孔内に釘やビス等の固定具を機枠の内側から挿入して固定具の先端部分を島設備の上横材、下横材に打ち込んだりねじ込んだりして固定する。その後、島設備に固定された機枠に前方から前面枠を取り付けるという手順を経て遊技機を島設備に設置している（特許文献１）。
【先行技術文献】
【特許文献】
【０００３】
【特許文献１】特開平９−７３１号公報
【発明の概要】
【発明が解決しようとする課題】
【０００４】
ところで、近年の遊技機は、前記した特許文献１に記載されているように、外枠を構成している上框、下框に、釘やビス等の固定具を挿通する貫通孔を工場出荷段階で予め穿設しておき、遊技店に搬送したならば、直ちに貫通孔内に釘やビス等の固定具を挿入して島設備への取り付け作業を開始できるように構成されている。このため、遊技機の機種にかかわらず貫通孔の位置が同じになる。
遊技機は、遊技者に飽きられないようにある程度の稼働期間が経過すると他の機種と入れ替えを行うことが一般的に行われている。この新たに入れ替える遊技機が、それまでの遊技機と機種が異なっていても製造元が同一であると、機枠の貫通孔の位置が同じであることが多い。この様に、貫通孔が同じ位置にある遊技機を何度も入れ替えると、島設備の上横材と下横材に打ち込まれる釘等の位置が同じになり、この入れ替え、すなわち、島設備の上横材と下横材に同じ位置で固定されると、固定具により開けられた孔が次第に緩くなってしまい、遊技機の固定が不十分になるおそれがある。
【０００５】
本発明は、上記した事情に鑑み提案されたもので、その目的は、島設備に対する遊技機の取り付け性を向上させることができ、安定した状態で設置することができる遊技機を提供しようとするものである。
【課題を解決するための手段】
【０００６】
本発明は、上記した目的を達成するために提案されたもので、請求項１に記載のものは、上下の横框と左右の縦框とを縦長矩形枠状に接合して島設備の上横固定材と下横固定材との間に固定される機枠と、該機枠の前面に開閉可能に取り付けられ、遊技盤が装着される前面枠と、を備えた遊技機において、
前記機枠の前記横框のうち上下の少なくとも一方には、島設備に対する固定機構を有し、
該固定機構は、
前記機枠を島設備に固定する固定具を挿通するための挿通孔が上下方向に貫通した状態で形成された貫通孔形成部材と、
前記横框に対して固定状態を維持し、前記貫通孔形成部材を水平方向に移動可能な状態で装着するスライドベース部材と、を備え、
前記スライドベース部材には、装着された貫通孔形成部材の前記貫通孔を露出させて前記横框に臨ませるための露出部を形成したことを特徴とする遊技機である。
【０００７】
請求項２に記載のものは、前記貫通孔形成部材と前記スライドベース部材との間には、前記貫通孔形成部材のスライドを規制するスライド規制機構を備え、
前記スライド規制機構は、
前記貫通孔形成部材または前記スライドベース部材の一方に形成される係合部と、
前記貫通孔形成部材または前記スライドベース部材の他方に形成されて前記係合部と係合可能な係合受部と、を備え、
前記係合受部を左右方向に複数形成することにより、前記係合部が係合する係合受部を変更可能にして前記貫通孔形成部材のスライドベース部材に対する位置を調整可能としたことを特徴とする請求項１に記載の遊技機である。
【０００８】
請求項３に記載のものは、前記スライド規制機構が、
常態において前記貫通孔形成部材を付勢して前記係合部と係合受部との係合状態を維持するための付勢部材を備えたことを特徴とする請求項２に記載の遊技機である。
【０００９】
請求項４に記載のものは、前記貫通孔形成部材が、合成樹脂により構成され、
前記付勢部材は、前記貫通孔形成部材に一体成型された樹脂製バネであることを特徴とする請求項３に記載の遊技機である。
【００１０】
請求項５に記載のものは、前記スライドベース部材が、
前記島設備と前記貫通孔形成部材との間に位置して当該貫通孔形成部材と当接可能な当接部を備え、
前記係合部は、前記貫通孔形成部材のうち前記当接部と対向する対向面または前記当接部のうち前記対向面と当接可能な当接面の一方に形成される係合凸部により構成され、
前記複数の係合受部は、前記対向面または前記当接面の他方に形成される係合凹部により構成されていることを特徴とする請求項４に記載の遊技機である。
【００１１】
請求項６に記載のものは、前記各係合凹部の左右方向の間隔が固定具の直径よりも広い寸法に設定されていることを特徴とする請求項５に記載の遊技機である。
【００１２】
請求項７に記載のものは、前記框同士が接合する隅角部分に補強金具を設け、前記貫通孔形成部材のスライド方向の延長線上に前記補助金具の止着具を配置し、該止着具に当接させることより前記貫通孔形成部材のスライドベース部材からの脱落を防止していることを特徴とする請求項６に記載の遊技機である。
【００１３】
請求項８に記載のものは、前記貫通孔形成部材を島設備の横固定材に止着した状態でスライドベース部材を貫通孔形成部材に対して前後方向にスライドさせる前後位置調整機構を備え、
該前後位置調整機構の前後位置調整により遊技機の寝かせ角度を調整可能としたことを特徴とする請求項７に記載の遊技機である。
【００１４】
請求項９に記載のものは、前記前後位置調整機構は、スライドベース部材側に回転可能に設けた雄ネジ軸と、該雄ネジ軸に螺合し、貫通孔形成部材側に前後方向の移動を阻止した状態で設けた雌ネジ部材とを備え、雄ネジ軸を回転して雌ネジ部との螺合位置を調整することによりスライドベース部材を貫通孔形成部材に対して前後方向に移動することにより前記寝かせ角度を無段階に調整可能としたことを特徴とする請求項８に記載の遊技機である。
【００１５】
請求項１０に記載のものは、前記前面枠の裏面側には、島設備から供給される遊技球を球払出装置へ供給するために貯留する有底箱体状の球貯留タンクが設けられ、前記上框の固定機構の貫通孔形成部材の後縁には、球貯留タンクの上方開口を露出させる切欠部を形成したことを特徴とする請求項１から請求項９のいずれかに記載の遊技機である。
【発明の効果】
【００１６】
請求項１の記載の発明は、上下の横框と左右の縦框とを縦長矩形枠状に接合して島設備の上横固定材と下横固定材との間に固定される機枠と、該機枠の前面に開閉可能に取り付けられ、遊技盤が装着される前面枠と、を備えた遊技機において、
前記機枠の前記横框のうち上下の少なくとも一方には、島設備に対する固定機構を有し、
該固定機構は、
前記機枠を島設備に固定する固定具を挿通するための挿通孔が上下方向に貫通した状態で形成された貫通孔形成部材と、
前記横框に対して固定状態を維持し、前記貫通孔形成部材を水平方向に移動可能な状態で装着するスライドベース部材と、を備え、
前記スライドベース部材には、装着された貫通孔形成部材の前記貫通孔を露出させて前記横框に臨ませるための露出部を形成したので、貫通孔形成部材の位置を移動することにより、以前に使用していた島設備の横固定材に残っている固定具の痕跡孔から外れた位置に貫通孔を位置させることができる。したがって、同じメーカーの遊技機であっても、固定具の位置を変更して島設備の横固定材の痕跡孔から外れた位置で固定具を打ち込んで遊技機を島設備に固定することができ、固定強度を十分に確保することができる。
【００１７】
請求項２に記載の発明によれば、前記貫通孔形成部材と前記スライドベース部材との間には、前記貫通孔形成部材のスライドを規制するスライド規制機構を備え、
前記スライド規制機構は、
前記貫通孔形成部材または前記スライドベース部材の一方に形成される係合部と、
前記貫通孔形成部材または前記スライドベース部材の他方に形成されて前記係合部と係合可能な係合受部と、を備え、
前記係合受部を左右方向に複数形成することにより、前記係合部が係合する係合受部を変更可能にして前記貫通孔形成部材のスライドベース部材に対する位置を調整可能としたので、貫通孔形成部材を移動することにより島設備の横固定材に痕跡孔と重なることなく固定具を打つことができるばかりでなく、係合部と係合受け部との係合を確実ならしめることができ、遊技中に振動があっても貫通孔形成部材とスライドベース部材との相対位置のずれを確実に防止することができる。
【００１８】
請求項３に記載の発明によれば、前記スライド規制機構が、常態において前記貫通孔形成部材を付勢して前記係合部と係合受部との係合状態を維持するための付勢部材を備えるので、常態における係合部と係合受部との係合が確実となり、不用意な位置ずれを防止することができる。
【００１９】
請求項４に記載の発明によれば、前記貫通孔形成部材が、合成樹脂により構成され、
前記付勢部材は、前記貫通孔形成部材に一体成型された樹脂製バネであるため、貫通孔形成部材およびこれを付勢するバネを容易に製造することができる。
【００２０】
請求項５に記載の発明によれば、前記スライドベース部材が、前記島設備と前記貫通孔形成部材との間に位置して当該貫通孔形成部材と当接可能な当接部を備え、
前記係合部は、前記貫通孔形成部材のうち前記当接部と対向する対向面または前記当接部のうち前記対向面と当接可能な当接面の一方に形成される係合凸部により構成され、
前記複数の係合受部は、前記対向面または前記当接面の他方に形成される係合凹部により構成されているので、固定具を島設備の横固定材に打ち込むと、固定具の押圧力により係合凸部と係合凹部との係合を確実ならしめることができる。したがって、遊技機を島設備に固定した後の遊技機の位置ずれを確実に防止することができる。
【００２１】
請求項６に記載の発明は、前記各係合凹部の左右方向の間隔が固定具の直径よりも広い寸法に設定されているので、固定具が島設備の横固定材の下穴の開いていない部分に打ち込まれることになり、遊技機の固定状態が不安定になることを防止することができる。
【００２２】
請求項７に記載の発明は、前記框同士が接合する隅角部分に補強金具を設け、前記貫通孔形成部材のスライド方向の延長線上に前記補助金具の止着具を配置し、該止着具に当接させることより前記貫通孔形成部材のスライドベース部材からの脱落を防止しているので、簡単な構成で貫通孔形成部材の落下防止を実現することができる。
【００２３】
請求項８に記載の発明によれば、前記貫通孔形成部材を島設備の横固定材に止着した状態でスライドベース部材を貫通孔形成部材に対して前後方向にスライドさせる前後位置調整機構を備え、
該前後位置調整機構の前後位置調整により遊技機の寝かせ角度を調整可能としたので、遊技機の寝かせ角度の設定作業を容易に行うことができる。
【００２４】
請求項９に記載の発明によれば、前記前後位置調整機構は、スライドベース部材側に回転可能に設けた雄ネジ軸と、該雄ネジ軸に螺合し、貫通孔形成部材側に前後方向の移動を阻止した状態で設けた雌ネジ部材とを備え、雄ネジ軸を回転して雌ネジ部との螺合位置を調整することによりスライドベース部材を貫通孔形成部材に対して前後方向に移動することにより前記寝かせ角度を無段階に調整可能としたので、寝かせ角度の細かな調整が行い易い。
【００２５】
請求項１０に記載の発明は、前記前面枠の裏面側には、島設備から供給される遊技球を球払出装置へ供給するために貯留する有底箱体状の球貯留タンクが設けられ、前記上框の固定機構の貫通孔形成部材の後縁には、貯留タンクの上方開口を露出させる切欠部を形成したので、貫通孔形成部材を移動したとしても貯留タンクの上方が解放されており、球補給が容易且つ確実に行われる。
【図面の簡単な説明】
【００２６】
【図１】島設備の正面図である。
【図２】島設備の断面図である。
【図３】パチンコ遊技機の斜視図である。
【図４】パチンコ遊技機の一部欠截平面図である。
【図５】外枠の分解斜視図である。
【図６】（ａ）は上框の斜視図、（ｂ）は上框の貫通孔形成部材とスライドベース部材とに分解した状態の斜視図である。
【図７】（ａ）はスライドベース部材の一部欠截斜視図、（ｂ）はスライドベース部材の係合部における幅方向の断面図、（ｃ）はスライドベース部材の左右長手方向の断面図である。
【図８】（ａ）は貫通孔形成部材の分解斜視図、（ｂ）は係合受部の拡大斜視図、（ｃ）は係合受部の断面図である。
【図９】（ａ）はスライドベース部材の断面図、（ｂ）は左側の係合受部の断面図、（ｃ）は右側の係合受部の断面図である。
【図１０】係合部と係合受部の係合状態における斜視図である。
【図１１】島設備に固定した状態における横固定部材と外枠の断面図である。
【図１２】（ａ）は前後位置調整機構を備えた上框の斜視図、（ｂ）は貫通孔形成部材とスライドベース部材との分解した状態の斜視図である。
【図１３】（ａ）は貫通孔形成部材の分解斜視図、（ｂ）は雌ネジ部材およびその右側端部の斜視図、（ｂ）は収納部の斜視図である。
【図１４】（ａ）は前後位置調整機構を組み込んだ上框の左端部の斜視図、（ｂ）は（ａ）に示す部分の一部欠截斜視図、（ｃ）は（ｂ）に示す部分の断面図である。
【図１５】前後位置調整機構を組み込んだ上框の側面図である。
【図１６】前後位置調整機構を組み込んだ上框の断面図である。
【図１７】前後位置調整機構を組み込んだ上框の側面図である。
【図１８】前後位置調整機構を組み込んだ上框の断面図である。
【図１９】（ａ）は遊技機を前に移動した状態における断面図、（ｂ）は遊技機を後ろに移動した状態の断面図である。
【発明を実施するための形態】
【００２７】
以下、本発明の実施形態を図面に基づいて説明する。
図１に示すように、島設備１は、下部には厚板材からなる下横固定材２を水平方向に配置すると共に、該下横固定材２の上方に間隔を空けて厚板材からなる上横固定材３を平行に配置して、両横固定材２，３の両端部に縦材４を設けると共に間に途中にも縦材４を設けることにより、上横固定材３と下横固定材２との間に遊技機５を設置するための遊技機設置空間６を形成し、設置した遊技機５の隣りに台間球貸機７等の付属設備を設置可能とし、また、長手方向ほぼ中央に球磨き揚送装置８を設置し、内部の下方部分には各遊技機５から排出された球や島端部に設置された球計数装置９から排出された球を回収する球回収樋１０を前記球磨き揚送装置８の下部に開口した球入口に向けて下り傾斜した状態で設け、島設備１の上部には前記球磨き揚送装置８の揚送球出口から各遊技機５等に球を供給する球補給樋１１を島設備１の端部に向けて下り傾斜した状態で設け、該球補給樋１１の途中から分岐した分岐樋を介して各遊技機５の球貯留タンク１２に球を補給できるように構成されている。
なお、下横固定材２は、図２に示すように、島設備１の内部側が遊技機５の載置部として機能し、外部側が遊技者側に突出して球箱等を載せる棚部として機能する。また、棚部よりも下方には、下幕板１３を設け、上横固定材３よりも上方には、上幕板１４を設けることにより島設備１の内部が遊技者側から見えないようにしてある。
【００２８】
遊技機５は、図３に示すように、前後方向に貫通した縦長矩形状枠体の機枠（外枠）１５と、該機枠１５の前面に開閉可能に取り付けられた前面枠（内枠）１６とを備え、該前面枠１６には、その表側に遊技盤装着部（図示せず）を設け、該遊技盤装着部に、表面に遊技領域を形成した遊技盤１７を着脱可能に装着し、また、前面枠１６の前面には板ガラス等の透明部材を嵌めたガラス枠（透明部材枠）１８を開閉可能に取り付け、該ガラス枠１８の板ガラスを通して前記遊技領域を前方から見られるように構成してある。そして、前面枠１６の表側下方に球発射装置（図示せず）を設け、遊技者が前面枠１６の表側であってガラス枠１８の下方に固定される固定パネルに設けられている発射操作部１９を操作すると、前記球発射装置が作動して、前面枠１６の表側に設けられている球貯留皿２０から導入した遊技球を前記遊技領域内に向けて発射し、遊技領域内を釘等に当たって流下方向を変換しながら流下した球が入賞口に入賞すると、前面枠１６の裏側に設けられている球払出装置（図示せず）が作動して、前面枠１６の裏面側上部に配設されている球貯留タンク１２内から導いた球を賞として所定数、例えば１３個前記した球貯留皿２０内に排出する。なお、前記した球貯留タンク１２は、有底箱体状であり、上面が開口している。
【００２９】
前記した機枠１５は、上横框２１ａと下横框２１ｂと左右の縦框２２ａ，２２ｂとを縦長矩形枠状に接合し、前面側の下部に横長な幕板２３を前方から接合すると共に該幕板２３の前面に幕板飾り部材２４を固定し、上横框２１ａと左右の縦框２２ａ，２２ｂとの内側接合隅角部と、下横框２１ｂと左右の縦框２２ａ，２２ｂとの内側接合隅角部とに金属製の補強金具２５を固定して補強した前後開口枠体であり、左縦框２２ａの上部に金属製の補強兼ヒンジ金具２６を、左縦框２２ａの下部（具体的には幕板上縁の位置）に金属製のヒンジ金具２７を固定し、両ヒンジ金具２６，２７により前記した前面枠１６を開閉可能に取り付けられるように構成されている。そして、前記した上框２１ａには島設備１に対する固定機構が組み込まれて一体化されている。
【００３０】
前記した固定機構は、機枠１５を島設備１に固定する際に釘等の固定具３０を挿通するための貫通孔３１が上下方向に貫通した状態で形成された貫通孔形成部材３２と、前記上横框２１ａに対して固定状態を維持して貫通孔形成部材３２を前記上横框２１ａの長手方向に沿ってスライド可能な状態で装着するスライドベース部材３３とから概略構成されており、前記スライドベース部材３３には、装着された貫通孔形成部材３２の前記貫通孔３１を露出させて前記上横框２１ａに臨ませるための露出部３４を切欠解放部状に形成し、前記貫通孔形成部材３２とスライドベース部材３３との間には、前記貫通孔形成部材３２のスライドを規制するスライド規制機構を設けてある。
【００３１】
前記したスライドベース部材３３は、上框本体を兼ねて断面四角形の中空板材状のアルミニューム型材により構成されており、前後幅方向のほぼ中央には左右方向に貫通した溝状のスライド開口部３５を有し、このスライド開口部３５の下方の底面を含んだ後方部分を左右端部を残して切り欠いて前記露出部３４を形成し、該露出部３４の左右端部に臨む位置にスライド開口部３５を塞ぐようにしてスライド規制ベース３６を固定し、該スライド規制ベース３６の前記中空部側に位置する天井面に、中空部内部に向かって斜めに延出する状態でスライド規制片を係合突部３７として設け、左端前部には左縦框２２ａに接合する接合切欠部３８を形成してある。なお、スライド規制片３７は、先端爪がそれぞれ反対側に向いた状態で形成する。すなわち、図面の実施形態では、左側のスライド規制片３７は、左側端部に向けて上から左斜め下方に向けて延出し、右側のスライド規制片３７は、右側端部に向けて上から右斜め下方に向けて延出している。
【００３２】
貫通孔形成部材３２は、前記したスライドベース部材３３の中空部３９内を移動可能に設けられた板状の部材である。具体的には、中空部３９の前後寸法よりも僅かに小さな前後幅であって、前記露出部３４の左右長さにスライドストローク長さを加算して余裕を持たせた左右長さに設定した平板状であり、実施形態では、図８（ａ）に示すように、プラスチック製の上半３２ａと下半３２ｂを重合固定して構成されており、後縁には左右長手方向に切欠部４０を形成し、上半３２ａの上面の前後幅のほぼ中央に前記したスライド開口部３５に嵌合可能な凸条部４１を左右方向全長に形成し、該凸条部４１の左右端部に係合受部として係合凹部４２を複数形成し、両係合凹部４２の間の凸条部４１に貫通孔３１を所定の間隔（Ｐ1）で複数（図面では８個）左右方向に開設し、下面には付勢部材として機能するバネ部４３を形成してある。前記した係合凹部４２は、断面鋸歯状であって、対向する位置に設けられたスライド規制片３７の先端爪が引っかかる向きに急峻な段差が向いた状態で形成され、複数（図面では３つの段差）形成される左右方向の間隔（Ｐ2）は、固定具３０の直径よりも広い寸法であって、尚且つ貫通孔３１の間隔（Ｐ1）とは異なる間隔に設定されている。
【００３３】
前記したバネ部４３は、貫通孔形成部材３２をスライドベース部材３３の当接部側、すなわち本実施形態では固定具３０を下から上に向けて打ち込む上框２１ａに設けられた固定機構であって、スライドベース部材３３の中空部３９の天井部側であるスライド規制ベース３６の天井面に向けて付勢して、係合突部３７と係合凹部４２とを係合させる方向に押圧するものであり、図面の実施形態では樹脂製の貫通孔形成部材３２と一体成型された片持ち片状に成型されており、貫通孔形成部材３２の係合凹部４２とは反対側の面から突出する状態で形成され、先端部分がスライドベース部材３３の中空部３９の底面に圧接して、その反力で貫通孔形成部材３２をスライドベース部材３３の当接部側に向けて付勢する構成を採る。
【００３４】
なお、前記したスライドベース部材３３の当接部は、島設備１と貫通孔形成部材３２との間に位置して、遊技機５を島設備１に固定した際に当該貫通孔形成部材３２と当接可能な部分である。本実施形態では上横框２１ａと一体化されたスライドベース部材３３であって貫通孔形成部材３２に係合突部３７を形成して、該係合突部３７に係合する係合受部（係合凹部）４２を係合突部３７に対向する貫通孔形成部材３２の上面に形成してあるから、スライドベース部材３３の中空部３９の天井部側であるスライド規制ベース３６の天井面が当接部に相当する。そして、上框２１ａの固定機構において、係合突部３７を貫通孔形成部材３２の上面に設けた場合には、この上面に対向するスライドベース部材３３の天井面が当接部となり、この当接部である天井面に係合受部４２を形成する。
一方、下框２１ｂに設けた固定機構であれば、固定具３０を上から下に向けて打ち込んで固定するので、当接部は、スライドベース部材３３の中空部３９の底面側になる。
したがって、前記スライドベース部材３３は、島設備１と貫通孔形成部材３２との間に位置して当該貫通孔形成部材３２と当接可能な当接部を備え、係合突部は、貫通孔形成部材３２のうち前記当接部と対向する対向面または前記当接部のうち前記対向面と当接可能な当接面の一方に形成される係合凸部により構成され、複数の係合受部４２は、前記対向面または前記当接面の他方に形成される係合凹部４２により構成される。
【００３５】
前記した構成からなる貫通孔形成部材３２をスライドベース部材３３の中空部３９内に組み込むと、図９に示すように、樹脂バネ部４３の先端部分がスライドベース部材３３の中空部３９の底面に圧接して貫通孔形成部材３２を上方に向けて付勢し、この付勢力により貫通孔形成部材３２が中空部３９内を上昇して上面がスライドベース部材３３の中空部３９の天井面に当接して係合突部３７の先端爪部が係合凹部４２に係合し、この係合により貫通孔形成部材３２が左右方向へのスライドが規制された状態になる。したがって、貫通孔形成部材３２に外力が加わらない常態では前記したスライド規制状態を維持する。そして、樹脂バネ部４３の付勢力に抗して貫通孔形成部材３２を手で下に押し下げると、貫通孔形成部材３２の上面に形成された係合受部４２が下降して係合突部３７から外れるので、この状態で貫通孔形成部材３２を左右長手方向にスライドさせることができ、適宜な位置（係合突部３７が元の係合受部４２とは異なる他の係合受部４２と一致する新たな位置）まで移動させて外力を解除すると、樹脂バネ部４３の付勢力により貫通孔形成部材３２が上昇し、係合突部３７が新たな係合受部４２に係合し、この係合により貫通孔形成部材３２を新たな位置で移動を規制する状態に変換する。
【００３６】
なお、貫通孔形成部材３２を左右いずれの端部までスライドさせても、図１０に示すように、補強金具２５を止着するボルトやピンなどの止着具４５を、貫通孔形成部材３２のスライド方向の延長線上に配置し、貫通孔形成部材３２を左右いずれの端部までスライドさせると当該貫通孔形成部材３２の先端が止着具４５に当たってそれ以上のスライドが阻止されるので、貫通孔形成部材３２がスライドベース部材３３から脱落する不都合を防止している。
【００３７】
また、後に詳述するように、貫通孔３１内に釘等の固定具３０を下方から挿入し、この固定具３０を島設備１の上横固定材３に打ち込むと、固定具３０が貫通孔形成部材３２をその上方に位置する上横固定材３に押圧するので、この押圧力により係合突部３７が確実に係合受部４２に係合することとなり、これにより貫通孔形成部材３２のスライドベース部材３３に対するスライドが強固に規制され、遊技機５の位置ずれを確実に防止することができる。
【００３８】
次に、遊技機５を島設備１に設置する手順を説明する。
新たに入れ替える遊技機５を工場から遊技店に搬送したならば、前面枠１６を機枠１５から取り外す。そして、機枠１５を島設備１の設置空間６内に押入れて位置調整、具体的には前後左右の位置の他に遊技機５の上端が下端よりも後方に位置する度合い（即ち、寝かせ角度）の調整（約４分乃至５分が一般的）を行い、これから固定具３０を挿入する貫通孔３１に対応する島設備１の横固定材２，３に、これまでに設置された遊技機５の固定に使用した固定具３０の痕跡（孔）が重ならないかを確認する。なお、遊技機５を設置する場合には、通常２本の固定具３０を使用するので、痕跡と重ならない貫通孔３１が２つあるかを確認する。重なるようであれば、他の貫通孔３１の使用を検討し、重ならない貫通孔３１が見出せるまで検討を繰り返す。そして、すべての貫通孔３１を検討しても、これまでに使用した固定具３０の痕跡に重なるようであれば、遊技機５を一旦設置空間６から取り出して、或いは設置空間６内に位置させた状態で貫通孔形成部材３２を左右方向にスライドさせることにより貫通孔３１の位置を係合受部４２の１つ分（１ノッチ分）移動し、移動してもすべての貫通孔３１が痕跡に重なるようであればさらに１ノッチ分だけ貫通孔形成部材３２を移動する。この様にして貫通孔形成部材３２をスライドさせると、同じメーカーの遊技機５であってもいずれかの貫通孔３１が痕跡の孔から外れる。そして、痕跡に重ならない貫通孔３１が確認できたならば、この貫通孔３１内に固定具３０を挿入し、固定具３０の先端が横固定材２，３に突き刺さって固定具３０の頭部が貫通孔形成部材３２に当接するまで打ち込む。すると、貫通孔形成部材３２がスライドベース部材３３側に押圧されるので、係合突部３７が係合受部４２に対して確実に係合し、これにより遊技機５に振動が与えられても貫通孔形成部材３２とスライドベース部材３３との相対位置がずれることがなく、位置ずれのおそれがない。
【００３９】
また、前記したように、貫通孔形成部材３２を左右方向にスライドさせて痕跡のない位置を探しても、貫通孔形成部材３２の後縁に、球貯留タンク１２の上方開口を露出させる切欠部４０を長手方向に沿って形成してあるので、貫通孔形成部材３２の移動により球貯留タンク１２の上方開口が塞がれることがなく、球補給用の流路を球貯留タンク１２の上方からタンク内部に臨ませることができ、球こぼれや飛び出しなどの不都合をなくすことができる。
【００４０】
次に、横框の長手方向に沿って左右方向に移動して位置調整することに加えて前後方向にも移動して寝かせ角度の調整をも行うことができる前後位置調整機構を備えた実施形態について説明する。なお、寝かせ角度を調整する理由としては、遊技盤に植設されている釘と遊技球との衝接具合を変化させて、入賞口等の入賞装置への遊技球の入賞率を変化させること等が挙げられる。
前記前後位置調整機構は、スライドベース部材３３に回転可能に設けた雄ネジ軸５０と、該雄ネジ軸５０に螺合し、尚且つ前後方向に移動できない状態で貫通孔形成部材３２側に設けた雌ネジ部材５１とを備え、雄ネジ軸５０を回転して雌ネジ部材５１の雌ネジ孔５２との螺合位置を調整することにより前記寝かせ角度を無段階に調整可能としたものであり、図面に示す実施形態では上横框２１ａの左右二か所に設けて平行に寝かせるようにしてある。
【００４１】
雄ネジ軸５０は、スライドベース部材３３の前面に開設した遊嵌孔内に前方から後方に向けて挿入され、軸長方向の途中に形成した雄ネジ部に雌ネジ部材５１の雌ネジ孔５２を螺合し、該雌ネジ部材５１から突出した先端部分をスライドベース部材３３の後面に設けたフランジ状の外れ止め部材５３に止着し、スライドベース部材３３の前面に露出した頭部５０´をプラスドライバー等により回転すると、途中に設けた雌ネジ部材５１の雄ネジ軸５０に対する螺合位置が前後に移動する。
【００４２】
雌ネジ部材５１は、雄ネジ軸５０の雄ネジ部に螺合し、尚且つ雄ネジ軸５０と共回りしないように構成されており、図面の実施形態では四角形の金属厚板に雌ネジ孔５２を開設して成る。そして、貫通孔形成部材３２の下半部３２ｂの底部に左右方向に延在する溝状の雌ネジ部材収納部５４内に収納され、該雌ネジ部材収納部５４を構成している前壁５４ａと後壁５４ｂにより前後方向への移動が規制されている。なお、雌ネジ部材収納部５４の左右の長さは、貫通孔形成部材３２を左右方向に移動した場合であっても雌ネジ部材５１を収納できる長さに設定されている。すなわち、係合凹部４２の形成間隔よりも長い寸法に設定されている。また、貫通孔形成部材３２を左右方向に移動して位置調整を行い雄ネジ軸５０及び雌ネジ部材５１と貫通孔形成部材３２の相対的な位置が変化しても、雄ネジ軸５０がスライドベース部材３３の内部を前後方向に貫通して移動しないように、貫通孔形成部材３２の上半部３２ａか天井面から下方に垂設した垂設壁部５５に貫通孔形成部材３２の長手方向に沿った調整ネジ挿通部５６を形成し、また、該調整ネジ挿通部５６の左右端部に雄ネジ軸５０を下降して嵌合させることにより位置を安定させる嵌合溝５７を、前壁５４ａと後壁５４ｂの上縁に半円状に形成してある。なお、本実施形態では、雌ネジ部材５１を組み付ける際に作業の容易化を図るために、貫通孔形成部材３２の上半部３２ａ上面に細長い貫通差し込み孔５８を開設し、該貫通差し込み孔５８から雌ネジ部材５１を雌ネジ部材収納部５４内に差し込み、この雌ネジ部材５１の雌ネジ孔に雄ネジ軸５０を螺合できるようにしてある。
【００４３】
この様な構成からなる遊技機５を島設備１に設定する手順について説明する。
新たに入れ替える遊技機５を工場から遊技店に搬送したならば、前記した実施形態と同様に、前面枠１６を機枠１５から取り外す。そして、機枠１５を島設備１の設置空間６内に押入れて位置調整、具体的には左右の位置の調整を行い、これから固定具３０を挿入する貫通孔３１に対応する島設備１の横固定材２，３に、これまでに設置された遊技機５の固定に使用した固定具３０の痕跡（孔）が重ならないかを確認する。なお、遊技機５を設置する場合には、通常２本の固定具３０を使用するので、痕跡と重ならない貫通孔３１が２つあるかを確認する。重なるようであれば、他の貫通孔３１の使用を検討し、重ならない貫通孔３１が見出せるまで検討を繰り返す。そして、すべての貫通孔３１を検討しても、これまでに使用した固定具３０の痕跡に重なるようであれば、遊技機５を一旦設置空間６から取り出して、或いは設置空間６内に位置させた状態で貫通孔形成部材３２を左右方向にスライドさせることにより貫通孔３１の位置を係合受部４２の１つ分（１ノッチ分）移動する。この場合、貫通孔形成部材３２を左右方向に移動するときには、貫通孔形成部材３２を下降して係合突部３７と係合受部４２との係合を外さなければスライドできないので、貫通孔形成部材３２を下降する。すると雄ネジ軸５０が相対的に上昇して調整ネジ挿通部５６に移動して、この状態になると雄ネジ軸５０が貫通孔形成部材３２の左右方向の移動を阻止することはないので、手で押すだけで貫通孔形成部材３２を移動することができる。この様にして貫通孔形成部材３２をスライドさせると、同じメーカーの遊技機５であってもいずれかの貫通孔３１が痕跡の孔から外れる。そして、痕跡に重ならない貫通孔３１が確認できたならば、この貫通孔３１内に固定具３０を挿入し、仮固定できるまで打ち込む。
【００４４】
この状態では、遊技機５の寝かせ角度が適正であるとは限らない。そこで、本実施形態では、スライドベース部材３３の前面に露出した雄ネジ軸５０の頭部５０´をプラスドライバー等の工具を使用して回転し、これにより遊技機５の上端の位置を前後方向に移動させて寝かせ角度を調整する。
【００４５】
図面に示す実施形態では、一般的な右ねじを雄ネジ軸５０に使用しているので、雄ネジ軸５０を右回転すると、雄ネジ軸５０の雄ネジ部に螺合している雌ネジ部材５１と雄ネジ軸５０の頭部５０´との距離が短くなり、雌ネジ部材５１は、貫通孔形成部材３２が島設備１の上固定横材に固定具３０の打ち込みによって前後方向の移動が阻止されているので、図１７および図１８に示すように、雄ネジ軸５０の頭部５０´がスライドベース部材３３の前面を押圧して後方に移動し、この移動により遊技機５の上端が後方に移動して寝かせ角度が増大する。
【００４６】
一方、雄ネジ軸５０の頭部５０´を左方向に回転すると、図１５および図１６に示すように、雌ネジ部材５１と雄ネジ軸５０の外れ止め部材５３との距離が短くなり、これにより外れ止め部材５３がスライドベース部材３３の後面を前方に押圧して前方に移動し、この移動により遊技機５の上端が前方に移動して寝かせ角度が減少する。したがって、遊技機５の前面枠１６に垂直ゲージなどの測定器を当てて遊技機５の角度を実測しながら雄ネジ軸５０の頭部を右回転、あるいは左回転すると、遊技機５の上端を前方あるいは後方に移動させることができ、これにより当該遊技機５の寝かせ角度を丁度良い４分乃至５分に調整することができる。そして、この様にして遊技機５の寝かせ角度の調整が終了したならば、固定具３０を確実に打ち込んで島設備１に強固に固定する。
なお、前後位置調整機構により前後位置を調整すると、貫通孔形成部材３２の島設備１の横固定材２，３との位置は変化せずに、スライドベース部材３３が前後方向に移動するので、スライド開口部３５内を貫通孔形成部材３２の突状部が支障なく移動できるように、スライド開口部３５の前後寸法を突状部の前後寸法よりも余裕をもって大きい寸法に設定する。
【００４７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００４８】
例えば、前記した第１の実施形態では、上框にのみ固定機構を設けたが、この固定機構は下框に設けてもよいし、あるいは上框と下框との両方に設けてもよい。また、第２の実施形態では、上框にのみ前後位置調整機構を設けたが、同様に、下框に、あるいは上下両方の框に設けてもよい。しかしながら、遊技機５の荷重がかかると雄ネジ軸５０を回転するために強い力が必要となるので、上框にのみ設けることが操作性の観点から好ましい。
また、スライドベース部材３３は、横框の框本体を兼ねた金属製のものを挙げて説明したが、框本体と別個に成形した後に一体化してもよい。
さらに、雄ネジ軸５０の頭部５０´に対応する前面枠１６の裏面側に、遊技機前面側（前方）に向けて窪ませた凹室状の被覆部５９を設けて、前面枠１６の閉止状態において被覆部５９が雄ネジ軸５０の頭部５０´を被覆し、前面枠１６を開放すると雄ネジ軸５０の頭部５０´が露出するようにしても良い。これにより、前面枠１６を開放しなければ雄ネジ軸５０を操作できないので、不正に雄ネジ軸５０を操作して遊技機の寝かせ角度を調整されてしまうことを防止できる。
【符号の説明】
【００４９】
１  島設備
２  下横固定材
３  上横固定材
５  遊技機
６  遊技機設置空間
１２  貯留タンク
１５  機枠
１６  前面枠
２１ａ  上横框
２１ｂ  下横框
２２ａ，２２ｂ  縦框
２５  補強金具
３０  固定具
３１  貫通孔
３２  貫通孔形成部材
３３  スライドベース部材
３４  露出部
３５  スライド開口部
３７  係合突部（スライド規制片）
３９  中空部
４２  係合凹部（係合受部）
４３  樹脂バネ部
４５  止着具
５０  雄ネジ軸
５１  雌ネジ部材
５２  雌ネジ孔
５３  外れ止め部材
【図１】
2011177323.tif 000003
【図２】
2011177323.tif 000004
【図３】
2011177323.tif 000005
【図４】
2011177323.tif 000006
【図５】
2011177323.tif 000007
【図６】
2011177323.tif 000008
【図７】
2011177323.tif 000009
【図８】
2011177323.tif 000010
【図９】
2011177323.tif 000011
【図１０】
2011177323.tif 000012
【図１１】
2011177323.tif 000013
【図１２】
2011177323.tif 000014
【図１３】
2011177323.tif 000015
【図１４】
2011177323.tif 000016
【図１５】
2011177323.tif 000017
【図１６】
2011177323.tif 000018
【図１７】
2011177323.tif 000019
【図１８】
2011177323.tif 000020
【図１９】
2011177323.tif 000021